(57)【要約】    【課題】  載荷重量が比較的小さい緑化屋根を、効率良く確実に形成することができる緑化屋根形成材及び緑化屋根構造の提供。    【解決手段】  折板屋根Ｆ上に、梁状支持部材Ｂ、ワイヤーネットＮ、植物生育層形成マットＭを備える。折板屋根Ｆの一つおきの各はぜ部Ｆ３に一定間隔おきにはぜ金具Ｐを固着する。梁状支持部材Ｂは、折板屋根Ｆの山部Ｆ２上において、山部Ｆ２の軸線方向に直交する方向に固定する。ワイヤーネットＮは、３本並列した梁状支持部材Ｂ上に載置し、梁状支持部材Ｂのフック状保持部Ｂ５及び押え片Ｂ７により保持される。隣接配置された各ワイヤーネットＮに１つずつの植物生育層形成マットＭを配し、各保持用挿通孔Ｍ１に保持用ピンを挿通させ、保持用孔Ｂ８に抜止尖頭部Ｈ３を係止して植物生育層形成マットＭとワイヤーネットＮを積層保持する。【選択図】      図１
2011047164.tif 000002
【特許請求の範囲】
【請求項１】
山部と溝部が一定方向に所定繰り返し長で繰り返される波形状断面屋根に植物生育層を設けて緑化屋根とするための緑化屋根形成材であって、
前記波形状断面屋根の山部上に、所定間隔おきに並列する状態で固定される複数の梁状支持部材と、
それらの梁状支持部材上に保持される所定形態の複数の多孔平板状部材を有し、
前記並列した梁状支持部材上に前記所定形態の複数の多孔平板状部材が隣接配置されるようにそれらの多孔平板状部材を所定位置に保持するための多孔平板状部材保持機構を備えると共に、
前記並列した梁状支持部材上に隣接配置された多孔平板状部材上に所定形態の植物生育層形成体が隣接配置されるようにそれらの植物生育層形成体を所定位置に保持するための植物生育層形成体保持機構を備えることを特徴とする緑化屋根形成材。
【請求項２】
多孔平板状部材保持機構を少なくとも梁状支持部材に備える請求項１記載の緑化屋根形成材。
【請求項３】
植物生育層形成体保持機構を少なくとも梁状支持部材、多孔平板状部材又は前記山部に備える請求項１又は２記載の緑化屋根形成材。
【請求項４】
上記複数の梁状支持部材が、山部と溝部が一定方向に繰り返される所定繰り返し長に対応した一定長さの部材である請求項１乃至３の何れか１項に記載の緑化屋根形成材。
【請求項５】
上記複数の多孔平板状部材が、平面視において方形状をなす一定形状のものである請求項１乃至４の何れか１項に記載の緑化屋根形成材。
【請求項６】
上記多孔平板状部材上に保持される所定形態の複数の植物生育層形成体を備える請求項１乃至５の何れか１項に記載の緑化屋根形成材。
【請求項７】
上記複数の植物生育層形成体が、平面視において方形状をなす一定形状のものである請求項６記載の緑化屋根形成材。
【請求項８】
１の又は２以上の所定数隣接配置された多孔平板状部材上に１の又は２以上の一定数隣接配置された植物生育層形成体が保持される請求項６又は７記載の緑化屋根形成材。
【請求項９】
山部と溝部が一定方向に繰り返される波形状断面屋根に植物生育層を設ける緑化屋根構造であって、
複数の梁状支持部材と、所定形態の複数の多孔平板状部材と、多孔平板状部材保持機構と、植物生育層形成体保持機構を備え、
前記複数の梁状支持部材は、前記波形状断面屋根の山部上に、所定間隔おきに並列する状態で保持され、
前記所定形態の複数の多孔平板状部材は、前記多孔平板状部材保持機構により、前記並列した梁状支持部材上の所定位置に保持されて隣接配置され、
前記多孔平板状部材保持機構は、前記並列した梁状支持部材上に前記所定形態の複数の多孔平板状部材が隣接配置されるようにそれらの多孔平板状部材を所定位置に保持するためのものであり、
前記植物生育層形成体保持機構は、前記並列した梁状支持部材上に隣接配置された多孔平板状部材上に所定形態の植物生育層形成体が隣接配置されるようにそれらの植物生育層形成体を所定位置に保持するためのものであることを特徴とする緑化屋根構造。
【請求項１０】
多孔平板状部材保持機構を少なくとも梁状支持部材に備える請求項９記載の緑化屋根構造。
【請求項１１】
植物生育層形成体保持機構を少なくとも梁状支持部材、多孔平板状部材又は前記山部に備える請求項９又は１０記載の緑化屋根構造。
【請求項１２】
所定形態の複数の植物生育層形成体が、上記植物生育層形成体保持機構により、上記隣接配置された多孔平板状部材上において所定位置に保持されて隣接配置された請求項９乃至１１の何れか１項に記載の緑化屋根構造。
【請求項１３】
波形状断面屋根の互いに平行な複数の山部における山部の軸線方向の所定位置毎に、上方突出の保持可能部を有し、前記各梁状支持部材は、山部の軸線方向に直交する方向に一致するように配されて前記各山部における上方突出の保持可能部に対し固定されることにより、所定間隔おきに並列している請求項９乃至１２の何れか１項に記載の緑化屋根構造。
【発明の詳細な説明】
【技術分野】
【０００１】
本発明は、折板屋根等の山部と溝部が一定方向に繰り返される波形状断面屋根に植物生育層を設けて緑化屋根とするための緑化屋根形成材及びその緑化屋根構造に関する。
【背景技術】
【０００２】
工場等の屋根に広く用いられている折板屋根やその他の山部と溝部が一定方向に繰り返される波形状断面屋根に植物生育層を設けて緑化屋根とするための提案が種々行われている。
【０００３】
例えば、特開２００７−３３２７６６号公報には、
「複数の金属板を、ハゼ継ぎ部を介して、左右方向に連結してなる金属屋根において、
緑化用トレーを左右前後に複数敷設して、金属屋根上部の緑化を行う緑化システムであって、
上部が開放された箱型容器状で、側面部の上端において外方に折り返し形成されたつば部を有するとともに、培養土が充填され、緑化植物が予め植栽された緑化用トレーと、
上部に固定ボルトを立設されるとともに、金属屋根の屋根面から突出するハゼ継ぎ部を挟持し、所定の間隔で設置される支持部材と、
幅方向両側に、且つ長さ方向に連続して、押え部が形成された断面視略逆ハット形状をなし、該固定ボルトを挿通して該支持部材に支持され、金属屋根の流れ方向に略直交して複数列置される長尺のレール部材と、を備え、
該押え部が、左右に隣り合う複数の緑化用トレーの該つば部上面と当接して、緑化用トレーの浮揚を防止するようになされた緑化システム」の発明が開示されている。
【０００４】
この発明によれば、強固な構造でありながら、より簡単且つ迅速な施工が可能であり、メンテナンス性にも優れた金属屋根の緑化技術を提供することができるとされている。
【０００５】
しかしながら、緑化用トレーを多数設置し、各緑化用トレーの箱状の収容部に培養土を充填してその培養土に緑化植物を栽培するものであるため、隣接する緑化用トレーの各収容部の間に、植物を栽培し得ない中断箇所が生じるものであり、また、重量が比較的嵩むという課題があった。
【０００６】
また例えば特開２００７−１８１４７０には、
「上面に上載荷重を受け止める略平坦な取付面を有し、折板屋根の山部の頂部にその長さ方向に沿って固定設置した複数本の根太フレームと、
前記複数本の根太フレームにわたって敷設固定した略平坦な網状部材と、
前記網状部材上に設けた植栽層と、
を備えた折板屋根の屋根緑化設備」の発明が開示されている。
【０００７】
この発明によれば、「折板屋根の山部の頂部に根太フレームを固定し、根太フレームの略平坦な取付面に網状部材を固定載置するので、植栽層の下地材としての網状部材を折板屋根に対して折板屋根固定用の剣先ボルトだけで確実に固定できることになる。また、ハゼで固定した折板屋根に適用する場合においても、剣先ボルトで固定した折板屋根と同様に、根太フレームと折板屋根との接触面積を十分に確保できるので、植栽層の下地材としての網状部材を折板屋根に対して強固に固定できることになる。しかも、既設の折板屋根にも施工でき、折板屋根に対する加工も不要なので容易に施工できる。
【０００８】
また、植栽層への降雨水をそのまま折板屋根の谷部へ排水でき、折板屋根の排水構造を活用して降雨水を排水できるので、構成を複雑にすることなく、排水性に優れた屋根緑化設備を実現できる。また、植栽層自体が折板屋根に直接的に接触しないので、折板屋根の腐蝕等を防止できるとともに、太陽光線による折板屋根の耐久性の低下を防止でき、折板屋根の耐用年数を向上できる。
【０００９】
植栽層として網状部材上に植栽マットを敷設し、複数の植栽固定金具を介して植栽マットを網状部材に固定すると、屋根緑化設備全体を折板屋根に対して折板屋根固定用の剣先ボルトだけで確実に固定できることになる。また、網状部材により折板屋根上に軽量且つ安定した略平坦な設置面を形成できるので、屋根緑化で実績のある軽量且つ簡易な薄層緑化設備の植栽マットを網状部材の上側にそのまま施工することが可能となる。」とされている。
【００１０】
この場合、緑化用トレーを用いないため、隣接する緑化用トレーの各収容部の間に植物を栽培し得ない中断箇所が生じるという問題がなく、また、比較的軽量化することが可能である。
【００１１】
しかしながら、折板屋根の山部の頂部に固定された根太フレームの略平坦な取付面に固定する網状部材及びその網状部材上に固定される植栽マットは、それらのサイズや固定位置等を対象となる折板屋根毎に個別に算出して材料を容易しなければならず、屋根上での施工作業も繁雑となる。
【先行技術文献】
【特許文献】
【００１２】
【特許文献１】特開２００７−３３２７６６号公報
【特許文献２】特開２００７−１８１４７０号公報
【発明の概要】
【発明が解決しようとする課題】
【００１３】
本発明は、従来技術に存した上記のような課題に鑑み行われたものであって、その目的とするところは、載荷重量が比較的小さい緑化屋根を、効率良く確実に形成することができる緑化屋根形成材及び緑化屋根構造を提供することにある。
【課題を解決するための手段】
【００１４】
上記目的を達成する本発明の緑化屋根形成材は、
山部と溝部が一定方向に所定繰り返し長で繰り返される波形状断面屋根に植物生育層を設けて緑化屋根とするための緑化屋根形成材であって、
前記波形状断面屋根の山部上に、所定間隔おきに並列する状態で固定される複数の梁状支持部材と、
それらの梁状支持部材上に保持される所定形態の複数の多孔平板状部材を有し、
前記並列した梁状支持部材上に前記所定形態の複数の多孔平板状部材が隣接配置されるようにそれらの多孔平板状部材を所定位置に保持するための多孔平板状部材保持機構を備えると共に、
前記並列した梁状支持部材上に隣接配置された多孔平板状部材上に所定形態の植物生育層形成体が隣接配置されるようにそれらの植物生育層形成体を所定位置に保持するための植物生育層形成体保持機構を備えることを特徴とする。
【００１５】
また本発明の緑化屋根構造は、
山部と溝部が一定方向に繰り返される波形状断面屋根に植物生育層を設ける緑化屋根構造であって、
複数の梁状支持部材と、所定形態の複数の多孔平板状部材と、多孔平板状部材保持機構と、植物生育層形成体保持機構を備え、
前記複数の梁状支持部材は、前記波形状断面屋根の山部上に、所定間隔おきに並列する状態で保持され、
前記所定形態の複数の多孔平板状部材は、前記多孔平板状部材保持機構により、前記並列した梁状支持部材上の所定位置に保持されて隣接配置され、
前記多孔平板状部材保持機構は、前記並列した梁状支持部材上に前記所定形態の複数の多孔平板状部材が隣接配置されるようにそれらの多孔平板状部材を所定位置に保持するためのものであり、
前記植物生育層形成体保持機構は、前記並列した梁状支持部材上に隣接配置された多孔平板状部材上に所定形態の植物生育層形成体が隣接配置されるようにそれらの植物生育層形成体を所定位置に保持するためのものであることを特徴とする。
【００１６】
折板屋根等の波形状断面屋根の山部上に複数の梁状支持部材を所定間隔おきに並列する状態で固定し、並列した梁状支持部材上の所定位置に多孔平板状部材保持機構を利用して複数の所定形態の多孔平板状部材を保持することにより、それらの多孔平板状部材を隣接配置することができる。
【００１７】
更に、隣接配置された多孔平板状部材上の所定位置に植物生育層形成体保持機構を利用して複数の所定形態の植物生育層形成体を保持することにより、それらの植物生育層形成体を隣接配置して植物生育層を形成することができる。
このようにして、植物生育層形成体が中断箇所なく隣接配置されてなる植物生育層において植物を生育し得、それらの植物生育層形成体における余分な水分が、その下側において隣接配置された多孔平板状部材を介して波形状断面屋根に排水される、載荷重量が比較的小さい緑化屋根を、効率良く確実に形成することができる。
【００１８】
本発明の緑化屋根形成材及び緑化屋根構造は、多孔平板状部材保持機構を少なくとも梁状支持部材に備えるものとすることができる。
また本発明の緑化屋根形成材及び緑化屋根構造は、植物生育層形成体保持機構を少なくとも梁状支持部材、多孔平板状部材又は前記山部（山部に取り付けられたはぜ金具等の部材を含む）に備えるものとすることができる。
【００１９】
本発明の緑化屋根形成材は、上記複数の梁状支持部材が、山部と溝部が一定方向に繰り返される所定繰り返し長に対応した一定長さの部材であるものとすることができる。
【００２０】
この場合、複数の梁状支持部材が、互いに平行な複数の山部上に、それらの山部の軸線方向に直交する方向に所定間隔おきに並列する状態で固定することができ、並列に固定された梁状支持部材上に多孔平板状部材が隣接配置される。
【００２１】
また本発明の緑化屋根形成材は、上記複数の多孔平板状部材が、平面視において方形状をなす一定形状のものであるものとすることができる。
【００２２】
この場合、複数の多孔平板状部材が、平面視において方形状をなす一定形状のものである場合、製造、管理、施工等を効率良く行い得る。
【００２３】
本発明の緑化屋根形成材は、上記多孔平板状部材上に保持される所定形態の複数の植物生育層形成体を備えるものとすることができる。
【００２４】
本発明の緑化屋根構造は、所定形態の複数の植物生育層形成体が、上記植物生育層形成体保持機構により、上記隣接配置された多孔平板状部材上において所定位置に保持されて隣接配置されたものとすることができる。
【００２５】
また本発明の緑化屋根形成材は、上記複数の植物生育層形成体が、平面視において方形状をなす一定形状のものとすることができる。
【００２６】
この場合、複数の植物生育層形成体が、平面視において方形状をなす一定形状のものであるため、製造、管理、施工等を効率良く行い得る。
【００２７】
また本発明の緑化屋根形成材は、１の又は２以上の所定数隣接配置された多孔平板状部材上に１の又は２以上の一定数隣接配置された植物生育層形成体が保持されるものとすることができる。
【００２８】
１の又は２以上の所定数隣接配置された多孔平板状部材上に１の又は２以上の所定数隣接配置された植物生育層形成体が保持される場合としては、例えば、１の多孔平板状部材上に１の植物生育層形成体が保持される場合（この場合、交換等のメンテナンスも容易である）、１の多孔平板状部材毎に、その上に２以上の一定数隣接配置された植物生育層形成体が保持される場合（この場合、交換等のメンテナンスも容易である）、２以上の所定数隣接配置された多孔平板状部材上に１の植物生育層形成体が保持される場合等を挙げることができる。これらの場合、多孔平板状部材及び植物生育層形成体をそれぞれモジュール化して製造、管理、施工等を効率良く行うことができる。また、２以上の所定数隣接配置された多孔平板状部材上に２以上の一定数隣接配置された植物生育層形成体が保持されるものとすることもできる。
【００２９】
また、本発明の緑化屋根構造は、波形状断面屋根の互いに平行な複数の山部における山部の軸線方向の所定位置毎に、上方突出の保持可能部を有し、前記各梁状支持部材は、山部の軸線方向に直交する方向に一致するように配されて前記各山部における上方突出の保持可能部に対し固定されることにより、所定間隔おきに並列しているものとすることができる。
【００３０】
この場合、複数の梁状支持部材が、互いに平行な複数の山部上に、それらの山部の軸線方向に直交する方向に所定間隔おきに並列する状態で固定され、梁状支持部材上に多孔平板状部材が隣接配置される。
【発明の効果】
【００３１】
本発明の緑化屋根形成材及び本発明の緑化屋根構造によれば、植物生育層形成体が中断箇所なく隣接配置されてなる植物生育層において植物を生育し得、それらの植物生育層形成体における余分な水分が、その下側において隣接配置された多孔平板状部材を介して波形状断面屋根に排水される、載荷重量が比較的小さい緑化屋根を、効率良く確実に形成することができる。
【図面の簡単な説明】
【００３２】
【図１】緑化屋根の組み立て状態を示す斜視図である。
【図２】図１の要部拡大斜視図である。
【図３】梁状支持部材の拡大斜視図である。
【図４】緑化屋根の組み立て状態を示す要部正面図である。
【図５】保持用ピン・ワッシャ・ボルトの拡大斜視図である。
【図６】緑化屋根の要部拡大断面図である。
【図７】別の緑化屋根の組み立て状態を示す要部斜視図である。
【発明を実施するための形態】
【００３３】
本発明の実施の形態を、図面を参照しつつ説明する。
【００３４】
図１乃至図６は、何れも本発明の実施の形態の一例としての緑化屋根形成材からなる緑化屋根に関する。図６は、ボルトを省略して示されている。図１乃至図６における同一の符号は同一部位を示す。
【００３５】
(1) この緑化屋根Ｇは、建築物の屋根を構成する折板屋根Ｆ上に、多数の梁状支持部材Ｂと、多数のワイヤーネットＮ（多孔平板状部材）と、多数の植物生育層形成マットＭ（植物生育層形成体）を備えてなる。
【００３６】
折板屋根Ｆは、溝部Ｆ１を挟んで両側に山部Ｆ２の半幅を有する一定の金属板製の折板ユニットＦａ同士が、それらの両側の頂部同士においてはぜ継ぎされることにより、山部Ｆ２と溝部Ｆ１が一定方向に所定繰り返し長Ｌ（山部Ｆ２から次の山部Ｆ２に至る繰り返し長）で繰り返されるはぜ継ぎ式折板屋根Ｆである。
【００３７】
折板屋根Ｆにおいて所定繰り返し長Ｌ毎に並列した山部Ｆ２のうち、一つおきの各山部Ｆ２のはぜ部Ｆ３に、雄螺子部Ｐ１（上方突出の保持可能部）を上向きに突出するはぜ金具Ｐが、はぜ部Ｆ３を軸線方向に直交する方向に挟持することにより固定されている。はぜ金具Ｐは、各山部Ｆ２のはぜ部Ｆ３に対し、山部Ｆ２の軸線方向に一定間隔（この例では所定繰り返し長Ｌと同じ間隔）おきに位置し、山部Ｆ２の軸線方向に直交する方向においても一列に並ぶ。
【００３８】
梁状支持部材Ｂは、山部Ｆ２の軸線方向に直交する方向において所定繰り返し長Ｌの四倍の長さをやや上回る長さにわたる。梁状支持部材Ｂは、そのほぼ全長にわたる長手方向の溝状部Ｂ２の短手方向両側に平板部Ｂ３を有する。溝状部Ｂ２の溝底部を構成する底板部Ｂ４は、長手方向の一端部において長手方向外方に延設されている。
【００３９】
両平板部Ｂ３の上面部には、それぞれ、短手方向針金Ｎ１と長手方向針金Ｎ２による直交格子状の部材であるワイヤーネットＮ（多孔平板状部材）を係止保持するためのフック状保持部Ｂ５（多孔平板状部材保持機構）が所定の箇所に複数形成されている。各フック状保持部Ｂ５は、両平板部Ｂ３の上面部から立ち上がる立上部Ｂ５ａとその立上部Ｂ５ａの上部から梁状支持部材Ｂの長手方向一方の向きに延設された返し部Ｂ５ｂからなり、梁状支持部材Ｂの長手方向一方の向きに対し開口する。この例では、フック状保持部Ｂ５の立上部Ｂ５ａ及び返し部Ｂ５ｂは、両平板部Ｂ３が切り起こされてなる板状をなすが、これに限るものではない。
【００４０】
両平板部Ｂ３の上面部における長手方向等間隔おきの５箇所（等間隔に限らない。また５箇所に限らない。）のうち、長手方向一端側の一箇所（この位置に限らない。また、一箇所に限らない。）には、ワイヤーネットＮの長手方向一端側の短手方向針金Ｎ１を保持する押え片Ｂ７を固定するための一対の取付孔Ｂ６が設けられている。押え片Ｂ７（多孔平板状部材保持機構）は、略逆Ｕ字状部の両端部をそれぞれ外方に拡開した形状をなし、前記短手方向針金Ｎ１に対し上側から略逆Ｕ字状部が嵌合した状態で両外方拡開部において平板部Ｂ３の一対の取付孔Ｂ６（多孔平板状部材保持機構）にビス止めされる。
【００４１】
両梁状支持部材Ｂの上面部における長手方向間隔おきの５箇所のうち残りの４箇所には、それぞれ、ワイヤーネットＮの他の４本の短手方向針金Ｎ１に掛合するフック状保持部Ｂ５が設けられている。
【００４２】
また、両平板部Ｂ３の上面部における長手方向間隔おきの６箇所に、植物生育層形成マットＭを保持するための保持用孔Ｂ８（植物生育層形成体保持機構）を備える。保持用孔Ｂ８は、梁状支持部材Ｂ上にワイヤーネットＮを保持した状態において短手方向針金Ｎ１又は長手方向針金Ｎ２の直下に位置しないように設けられている。
【００４３】
梁状支持部材Ｂの両端部及び中央部には、それぞれはぜ金具Ｐの上向き突出の雄螺子部Ｐ１に嵌合させて梁状支持部材Ｂをはぜ金具Ｐに固定するための長円形状の固定孔Ｂ１を有する。前記固定孔Ｂ１は、底板部Ｂ４の長手方向両端部と中央部に有する。両端部の固定孔Ｂ１の中心間の長さが丁度所定繰り返し長Ｌの四倍の長さである。一方の端部の固定孔Ｂ１は、底板部Ｂ４の長手方向外方延設部に有する。底板部Ｂ４の長手方向外方延設部は、長手方向に連結される別の梁状支持部材Ｂの溝状部Ｂ２の溝底部を構成する底板部Ｂ４の端部と重合し、それぞれに設けられた固定孔Ｂ１同士が重なり合った状態で同一のはぜ金具Ｐの雄螺子部Ｐ１に嵌合し得るよう構成されている。
【００４４】
梁状支持部材Ｂは、折板屋根Ｆの山部Ｆ２上において、山部Ｆ２の軸線方向に直交する方向に固定する。すなわち、梁状支持部材Ｂの一方の端部の固定孔Ｂ１を第１のはぜ金具Ｐ（Ｐａ）の雄螺子部Ｐ１に嵌合させると共に、中央部の固定孔Ｂ１及び他方の端部の固定孔Ｂ１を、それぞれ、山部Ｆ２の軸線方向に直交する方向における所定繰り返し長Ｌの二倍の長さを隔てた位置の第２のはぜ金具Ｐ（Ｐｂ）の雄螺子部Ｐ１及び所定繰り返し長Ｌの四倍の長さを隔てた位置の第３のはぜ金具Ｐ（Ｐｃ）の雄螺子部Ｐ１に嵌合させてその梁状支持部材Ｂをはぜ金具Ｐａ・Ｐｂ・Ｐｃにわたり架装する。更に、その第３のはぜ金具Ｐ（Ｐｃ）の雄螺子部Ｐ１に、別の梁状支持部材Ｂの底板部Ｂ４の長手方向外方延設部の固定孔Ｂ１を更に嵌合させ、その梁状支持部材Ｂの中央部及び他端部の固定孔Ｂ１を、それぞれ、第２のはぜ金具Ｐ（Ｐｂ）の側とは逆の側に所定繰り返し長Ｌの二倍の長さを隔てた位置のはぜ金具Ｐの雄螺子部Ｐ１及び所定繰り返し長Ｌの四倍の長さを隔てた位置のはぜ金具Ｐの雄螺子部Ｐ１に嵌合させて、それらのはぜ金具Ｐにわたり梁状支持部材Ｂを架装する。
【００４５】
このようにして各山部Ｆ２の軸線方向における所定位置の全てのはぜ金具Ｐにわたり、すなわち各山部Ｆ２の軸線方向に直交する方向に、梁状支持部材Ｂを架装すると共に、各雄螺子部Ｐ１にナットＰ２を螺合させて各梁状支持部材Ｂをはぜ金具Ｐを介して折板屋根Ｆの山部Ｆ２上に固定する。また、山部Ｆ２の軸線方向における別の位置においても同様に梁状支持部材Ｂを山部Ｆ２の軸線方向に直交するようにはぜ金具Ｐを介して折板屋根Ｆの山部Ｆ２上に固定する。これにより、折板屋根Ｆの山部Ｆ２上に、山部Ｆ２の軸線方向に一定間隔おきに並列する状態で多数の梁状支持部材Ｂが固定される。
【００４６】
ワイヤーネットＮの輪郭は、平面視において短辺の長さが所定繰り返し長Ｌの２倍で長辺の長さが所定繰り返し長Ｌの４倍の略長方形状である。このワイヤーネットＮの相対する両長辺は、３本並列した梁状支持部材Ｂのうち両外側に位置するものにおける内側の各平板部Ｂ３上に載置され、ワイヤーネットＮの両長辺の間の中央部は、中央の梁状支持部材Ｂの両平板部Ｂ３上に載置される。
【００４７】
更に、ワイヤーネットＮの多数の短手方向針金Ｎ１におけるワイヤーネットＮの長手方向等間隔おきの５本の短手方向針金Ｎ１aのうち、ワイヤーネットＮの長手方向一端側の短手方向針金Ｎ１ａを除く４本の短手方向針金Ｎ１aを、３本並列した梁状支持部材Ｂのうち両外側に位置するものにおける内側の各平板部Ｂ３並びに中央の梁状支持部材Ｂの両平板部Ｂ３における４箇所ずつのフック状保持部Ｂ５に掛合させた上で、残りの１本の短手方向針金Ｎ１ａを、３本並列した梁状支持部材Ｂのうち両外側に位置するものにおける内側の各平板部Ｂ３に対し、押え片Ｂ７により保持する。すなわち、４本の短手方向針金Ｎ１ａの両端部は、それぞれ、３本並列した梁状支持部材Ｂのうち両外側に位置するものにおける内側の平板部Ｂ３のフック状保持部Ｂ５に保持され、それらの４本の短手方向針金Ｎ１ａの中央部は、それぞれ中央の梁状支持部材Ｂの両平板部Ｂ３に設けられたフック状保持部Ｂ５に保持される。残りの１本の短手方向針金Ｎ１ａは、その両端部において、３本並列した梁状支持部材Ｂのうち両外側に位置するものにおける内側の各平板部Ｂ３に対し押え片Ｂ７により保持される。これにより、ワイヤーネットＮが、３本並列した梁状支持部材Ｂにより保持され、ワイヤーネットＮの全長の位置が、３本並列した梁状支持部材Ｂの全長の位置とほぼ一致した状態となる。
【００４８】
同様に、前記３本の並列梁状支持部材Ｂの長手方向に隣接する位置に固定された３本の並列した梁状支持部材Ｂにより、別のワイヤーネットＮが同様に保持され、前記ワイヤーネットＮと長手方向に隣接した状態となる。また、前記３本の梁状支持部材Ｂのうち外側の梁状支持部材Ｂと、その梁状支持部材Ｂの外側に並列する位置に固定される２本の別の梁状支持部材Ｂからなる３本の並列した梁状支持部材Ｂにより、別のワイヤーネットＮが同様に保持され、前記ワイヤーネットＮと短手方向に隣接した状態となる。このように、各ワイヤーネットＮを、並列した梁状支持部材Ｂにおける所定位置のフック状保持部Ｂ５及び取付孔Ｂ６（多孔平板状部材保持機構）を用いてそのフック状保持部Ｂ５及び押え片Ｂ７により保持することによって、並列した梁状支持部材Ｂ上にワイヤーネットＮが次々と隣接配置されて保持される。
【００４９】
植物生育層形成マットＭは、平面視においてワイヤーネットＮと同等の輪郭の長方形状をなすほぼ一定厚さの保水性の繊維製マットである。この植物生育層形成マットＭは、ポリエステル系合成繊維を約８０％含む繊維で編み組みされた織布の廃棄屑を開繊して繊維状に加工したものを主材料とし、これに、低融点のポリエステル繊維（例えば全体の約２０重量％）をバインダー繊維として混合分散させたものを所定の厚さに方向性なく立体的に集合させた繊維の集合体を、バインダー繊維が溶融する温度まで加熱した後プレス（繊維等が集合した状態の厚さに対して約２５％の厚さとなるようプレス）し、バインダー繊維を冷却・硬化させて繊維同士を結合させ繊維の間に無数の空隙を形成した状態で得られたものである。この植物生育層形成マットＭには、保持用ピンＨ（植物生育層形成体保持機構）が挿通する保持用挿通孔Ｍ１が形成されている。各保持用挿通孔Ｍ１は、３本並列した梁状支持部材Ｂ上に保持されたワイヤーネットＮ上に植物生育層形成マットＭを重ねた状態において、各保持用孔Ｂ８の真上に位置するよう設けられている。この例では、３本並列した梁状支持部材Ｂのうち両外側に位置するものにおける内側の各平板部Ｂ３における全ての保持用孔Ｂ８に対応する位置と、中央の梁状支持部材Ｂの両平板部Ｂ３における互い違いに１つおきの保持用孔Ｂ８に対応する位置に保持用挿通孔Ｍ１が設けられている。
【００５０】
保持用ピンＨは、脚部と頭部を有し、頭部は保持用挿通孔Ｍ１よりも外方に拡開しており、脚部は保持用挿通孔Ｍ１及び保持用孔Ｂ８に対し弾性的に変形しつつ挿通し得、脚部の先端側に、保持用孔Ｂ８を通過後に拡開して抜止機能を発揮し得る抜止部を有してなる。保持用ピンＨは、より具体的には、合成樹脂製（その他の必要な弾力性を実現し得る材料を用いることもできる）であって、保持用挿通孔Ｍ１の外径より外径が大きな円環板状をなす大径頭部Ｈ１の中央部下方に、ほぼ円筒を縦に分割した二股状をなす脚部Ｈ２を有する。各脚部Ｈ２の下端部には、下方を向く尖頭状をなし、上側が脚部Ｈ２よりも拡開した鉤状をなす抜止尖頭部Ｈ３を有する。脚部Ｈ２における大径頭部Ｈ１の下側に、外方に突出する一対のストッパ部Ｈ４が設けられている。大径頭部Ｈ１の中央部には連通孔Ｈ５が設けられて上下に開口する。
【００５１】
３本の並列梁状支持部材Ｂ上に保持されたワイヤーネットＮ上に植物生育層形成マットＭを重ね合わせ、ワッシャＩ（必須ではない）を介在させて各保持用挿通孔Ｍ１の上開口から抜止尖頭部Ｈ３を下向きにして保持用ピンＨを挿入すると、植物生育層形成マットＭの保持用挿通孔Ｍ１及び梁状支持部材Ｂの保持用孔Ｂ８を通過する際に両抜止尖頭部Ｈ３同士が内方に押圧されて脚部Ｈ２同士が互いに内方にたわみ、両抜止尖頭部Ｈ３が保持用挿通孔Ｍ１及び保持用孔Ｂ８を通過した後、両脚部Ｈ２が外方に拡がって両抜止尖頭部Ｈ３も外方に復元する。すると、図６に示されるように、抜止尖頭部Ｈ３の拡開した上側部は、梁状支持部材Ｂの平板部Ｂ３の下面側における保持用孔Ｂ８の周囲に掛止され、抜止尖頭部Ｈ３と大径頭部Ｈ１の間に平板部Ｂ３とワイヤーネットＮと植物生育層形成マットＭが挟まれる。これにより、３本の並列梁状支持部材Ｂ上に保持されたワイヤーネットＮ上に植物生育層形成マットＭが積層された状態で保持される。更に、保持用ピンＨの連通孔Ｈ５に対しボルトＪの脚部を上方から挿入して固定する。なお、図１及び図２においては、保持用ピンＨ、ワッシャＩ及びボルトＪは、一部の保持用挿通孔Ｍ１についてのもののみ示されている。
【００５２】
このように、植物生育層形成マットＭを、並列した梁状支持部材Ｂにおける所定位置の保持用孔Ｂ８（植物生育層形成体保持機構）を用いて保持用ピンＨにより保持することによって、並列した梁状支持部材Ｂ上に隣接配置されたワイヤーネットＮ上に植物生育層形成マットＭが隣接配置されて保持される。各ワイヤーネットＮに１つずつの植物生育層形成マットＭが配されているので、交換等のメンテナンスも容易である。なお、例えば、１の多孔平板状部材毎に、その上に２以上の一定数隣接配置された植物生育層形成体が保持されるものとすることもできる。
【００５３】
このように植物生育層形成マットＭを隣接配置させつつ保持して形成された植物生育層の外周部は、梁状支持部材Ｂ上に固定した縁体Ｅ１及び縁体Ｅ２により囲むことにより保護することができる。なお、図は植物生育層の外周部の一部に縁体Ｅ１及び縁体Ｅ２が設けられた状態を示している。
【００５４】
梁状支持部材Ｂの長手方向に沿った縁体Ｅ１は、その下端部が梁状支持部材Ｂの溝状部Ｂ２の底板部Ｂ４に固定されることにより立設され、縁体Ｅ１に直交する縁体Ｅ２は、その下端部が多数並列する梁状支持部材Ｂの各一端部における平板部Ｂ３にわたり固定されることにより立設されている。
【００５５】
このようにして、植物生育層形成マットＭが隣接配置されて中断箇所なく形成された植物生育層において植物を生育し得、それらの植物生育層形成マットＭにおける余分な水分が、その下側において隣接配置されたワイヤーネットＮを介して折板屋根Ｆに排水される、載荷重量が比較的小さい緑化屋根Ｇを、効率良く確実に形成することができる。なお、隣接配置された植物生育層形成マットＭの上に、透水性の不織布を敷設し、その上に目土層を設けて植物生育を行うこともできる。その場合において複数枚の不織布を用いる際は、不織布同士の縁部が重なり合うようにして目土か不織布同士の間から流出することを防ぐことが望ましい。
【００５６】
(2) 本発明が対象とする波形状断面屋根（山部と溝部が一定方向に所定繰り返し長で繰り返される屋根）としては、図示のはぜ継ぎ式折板屋根の他、別種のはぜ継ぎ式折板屋根、はぜ継ぎ式ではない折板屋根、その他の山部と溝部が一定方向に所定繰り返し長で繰り返される波形状断面屋根を挙げることができる。また、この例では屋根は水平状をなすが、必ずしも水平に限るものではない。また、波形状断面屋根は、所定位置（例えば各山部の軸線方向に一定間隔おきの位置であって、山部の軸線方向に直交する方向において一列に並ぶ位置）にそれぞれ雄螺子部（上方突出の保持可能部）を予め上向きに突出するものであってもよい。梁状支持部材は、波形状断面屋根の山部に対し、直接又ははぜ金具等の波形状断面屋根の山部に固定された部材を介して固定される。
【００５７】
(3) 梁状支持部材の長さは、所定繰り返し長の約四倍の長さに限らず、約二倍若しくは約三倍又は六倍以上の長さ、或いはその他の長さとすることもできる。
【００５８】
梁状支持部材の方向は、波形状断面屋根の山部上に安定性高く固定する上で山部の軸線方向に直交する方向であることが好ましい。
【００５９】
並列する梁状支持部材同士の間隔は、一定間隔に限らず、例えば２種以上の所定間隔が規則的に連続するものとすることもできる。
【００６０】
また、山部に対する梁状支持部材の固定は、はぜ部に固定されたはぜ金具の雄螺子部に固定孔を嵌合させてナット等により締結する方法に限らず、種々の固定手段を採用し得る。
【００６１】
多孔平板状部材保持機構は、前記のようなフック状保持部と押え片の組み合わせに限らない。例えば、フック状保持部のみ若しくは押え片のみ又は多孔平板状部材の所要部位を弾性的に嵌合保持し得るものとすることができる。
【００６２】
(4) 多孔平板状部材は、上記のようなワイヤーネットに限らない。例えば、各種スノコ状構造体、格子状構造体、金網、金属製又はその他の材料からなるパンチングボード等を多孔平板状部材として用いることができる。多孔平板状部材の平面視形状としては、略長方形状、略正方形状又はその他の多角形状等を適宜採用し得る。
【００６３】
多孔平板状部材保持機構は、並列した梁状支持部材上に所定位置の多孔平板状部材保持機構を利用して保持された複数の多孔平板状部材が自ずから隣接配置となるものとすることができる。多孔平板状部材は、その形状及び大きさ等の形態が多孔平板状部材保持機構の配置に対し所定の関係であることにより、並列した梁状支持部材上に複数の多孔平板状部材が隣接配置されるように多孔平板状部材保持機構により所定位置に保持し得るようなものであればよく、この例のような関係に限らない。
【００６４】
(5) 植物生育層形成体保持機構は、隣接配置された複数の多孔平板状部材上に所定位置の植物生育層形成体保持機構を利用して保持された複数の植物生育層形成体材が自ずから隣接配置となるものとすることができる。なお、植物生育層形成体保持機構は、前記のような保持用ピンと保持用孔の組み合わせに限るものではなく、種々の手段を採用し得る。植物生育層形成体の形状は、平板状であることが好ましいが、必ずしも平面視において長方形状又は正方形状であるものに限らない。植物生育層形成体は、その形状及び大きさ等の形態が植物生育層形成体保持機構の配置に対し所定の関係であることにより、並列した梁状支持部材上に隣接配置された多孔平板状部材上に隣接配置されるように植物生育層形成体保持機構により所定位置に保持し得るようなものであればよく、この例のような関係に限らない。
【００６５】
(6) 保水性を有する植物生育層形成体としては、例えば、不規則に集合した繊維（繊維の種類は特に問わない。椰子殻繊維、ジュート、ケナフ、木綿等の各種天然繊維、ポリエステル系、ポリアミド系、ポリアクリル系等の各種合成繊維、或いはその他の繊維を用い得る。）からなるもの、特に、不規則に集合した繊維を、圧縮成形したもの、圧縮成形すると共にニードルパンチやバインダー繊維の含有及び溶融により繊維成形物の保形性を高めたもの、不織布、不織布を重積したもの、その他の各種植物生育材料を用いることができる。植物生育層形成体の厚さは、例えば１乃至２０ｃｍとすることができる。好ましくは２乃至１５ｃｍ、より好ましくは３乃至１０ｃｍであるが、これに限られるものではない。
【００６６】
植物生育層形成体の生育対象植物の例としては、芝類、セダム類、こけ類、つた類等を挙げることができる。
【００６７】
(7) 本発明の実施の形態の別の例としての緑化屋根形成材からなる緑化屋根について、図７を参照して説明する。図７は、植物生育層形成マット等を一部省略して示されている。なお、図７における図１乃至図６と同じ符号は、実質上同一の部位を示す。
【００６８】
１辺の長さが所定繰り返し長Ｌの２倍の正方形状の各ワイヤーネットＮにおける四隅部、中央部、及び四辺の各中間位置（これらの位置に限るものではない）に、それぞれ雄螺子部Ｐ１が形成された保持棒Ｎ３（植物生育層形成体保持機構）が、ワイヤーネットＮが構成する平面に対し直立状に設けられている。
【００６９】
１辺の長さが所定繰り返し長Ｌの２倍の正方形状の植物生育層形成マットＭには、ワイヤーネットＮにそれぞれ直立形成された保持棒Ｎ３がそれぞれ挿通する保持用挿通孔Ｍ１が形成されている。
【００７０】
並列した梁状支持部材Ｂ上に隣接配置されて保持された各ワイヤーネットＮに１つずつの植物生育層形成マットＭを配し、それぞれの植物生育層形成マットＭにおける各保持用挿通孔Ｍ１に、各ワイヤーネットＮに直立形成された各保持棒Ｎ３を挿通させ、植物生育層形成マットＭの上方に突出した各保持棒Ｎ３の雄螺子部Ｐ１に保持ワッシャＮ４を外嵌し、更に、締結ナットＮ５を螺合させてワイヤーネットＮと保持ワッシャＮ４の間に植物生育層形成マットＭを保持することにより、並列した梁状支持部材Ｂ上に隣接配置された各ワイヤーネットＮ上に、植物生育層形成マットＭを隣接配置させつつ保持して植物生育層を形成することができる（図７では、保持ワッシャＮ４及び締結ナットＮ５は、一部の保持用挿通孔Ｍ１についてのもののみ示されている。）。各ワイヤーネットＮに１つずつの植物生育層形成マットＭが配されているので、交換等のメンテナンスも容易である。なお、例えば、１の多孔平板状部材毎に、その上に２以上の一定数隣接配置された植物生育層形成体が保持されるものとすることもできる。
【００７１】
このようにして、植物生育層形成マットＭが隣接配置されて中断箇所なく形成された植物生育層において植物を生育し得、それらの植物生育層形成マットＭにおける余分な水分が、その下側において隣接配置されたワイヤーネットＮを介して折板屋根Ｆに排水される、載荷重量が比較的小さい緑化屋根Ｇを、効率良く確実に形成することができる。
【００７２】
(8) なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【符号の説明】
【００７３】
Ｂ      梁状支持部材
Ｂ１    固定孔
Ｂ２    溝状部
Ｂ３    平板部
Ｂ４    底板部
Ｂ５    フック状保持部
Ｂ５ａ  立上部
Ｂ５ｂ  返し部
Ｂ６    取付孔
Ｂ７    押え片
Ｂ８    保持用孔
Ｅ１    縁体
Ｅ２    縁体
Ｆ      折板屋根
Ｆ１    溝部
Ｆ２    山部
Ｆ３    はぜ部
Ｆａ    折板ユニット
Ｇ      緑化屋根
Ｈ      保持用ピン
Ｈ１    大径頭部
Ｈ２    脚部
Ｈ３    抜止尖頭部
Ｈ４    ストッパ部
Ｈ５    連通孔
Ｉ      ワッシャ
Ｊ      ボルト
Ｌ      所定繰り返し長
Ｍ      植物生育層形成マット
Ｍ１    保持用挿通孔
Ｎ      ワイヤーネット
Ｎ１    短手方向針金
Ｎ２    長手方向針金
Ｎ３    保持棒
Ｎ４    保持ワッシャ
Ｎ５    締結ナット
Ｐ      はぜ金具
Ｐａ    はぜ金具
Ｐｂ    はぜ金具
Ｐｃ    はぜ金具
Ｐ１    雄螺子部
Ｐ２    ナット
【図１】
2011047164.tif 000003
【図２】
2011047164.tif 000004
【図３】
2011047164.tif 000005
【図４】
2011047164.tif 000006
【図５】
2011047164.tif 000007
【図６】
2011047164.tif 000008
【図７】
2011047164.tif 000009